(57)【要約】【課題】本体内にトレイを設け、そのトレイに満たされた次亜塩素酸水にフィルタを浸水させ、次亜塩素酸水を含浸させたフィルタ部材へ吸込口より取り込んだ空気を曝露させることで、本体内で空気の浄化を行う殺菌装置において、取り込んだ空気の本体内での清浄化効果を高めることで、吹き出し空気の清浄度が高い空気浄化装置を提供する。【解決手段】帰還風路１８は気液接触フィルタ７を通過した後の風路から前記気液接触フィルタ７の上流側に連通するように備えられ、送風部６は、前記気液接触フィルタ７の上流側と前記帰還風路１８の間に設置し、前記気液接触フィルタ７を通過した空気の一部を前記帰還風路１８から前記気液接触フィルタ７の上流側に引き込むことにより、気液接触フィルタ７へ通気される空気が多くなるため、空気浄化装置１内における清浄効果が向上することにより、吹き出し空気の清浄度が向上させることができる。【選択図】図２
2020000772.tif 000002
【特許請求の範囲】
【請求項１】
次亜塩素酸水を保持する貯留槽部と、次亜塩素酸を生成するために電気分解を行う電解槽部と、次亜塩素酸を電気分解で生成するための電解手段と、次亜塩素酸を揮発させるための気液接触フィルタと、風路と送風機と、運転制御を行う制御手段と、給水手段を備え、次亜塩素酸で殺菌する空気浄化装置において、前記風路に、気液接触フィルタを通過した後の風路から前記気液接触フィルタの上流側に連通する帰還風路を備え、前記送風機は、前記気液接触フィルタの上流側と前記帰還風路の間に設置し、前記気液接触フィルタを通過した空気の一部を前記帰還風路から前記気液接触フィルタの上流側に引き込むことができる空気浄化装置。
【請求項２】
前記帰還風路の開口度を変更することで、循環する空気の量を調整し、吹出風量を変更する請求項１に記載の空気浄化装置。
【発明の詳細な説明】
【技術分野】
【０００１】
本発明は、空気中の細菌、ウイルス、臭いなどの除去を行う空気浄化装置に関するものである。
【背景技術】
【０００２】
水を電気分解して得られる次亜塩素酸水をフィルタ部材へ供給、通気させることで次亜塩素酸水を空気と接触、次亜塩素酸を気化させ、空気中の細菌、ウイルス、臭気物質の除去を行う空気浄化装置がすでに提案されている（例えば、特許文献１参照）。
【先行技術文献】
【特許文献】
【０００３】
【特許文献１】特開２０１２−０５２６９９号公報
【発明の概要】
【発明が解決しようとする課題】
【０００４】
このような空気浄化装置において、吹き出し口から放出される空気の清浄度は、おもに電気分解して得られた次亜塩素酸水の濃度とフィルタ部材へ供給される風量よって決定される。空間全体を対象とした拡散運転の場合と、特定の範囲を対象としたスポット運転の場合では、求められる吹き出し風量、空気の清浄度は異なる。
【０００５】
空間全体を対象とした拡散運転の場合は、空気浄化装置からより多くの空気を放出させること、または気化した次亜塩素酸を遠くまで飛ばしたいため、より大きい風量で吹き出すことが望まれる。
【０００６】
一方、例えば病院の診察室で病人を診察する医師を対象としたスポット運転の場合は、大きな風量よりも医師への感染を防ぐために、吹き出す空気は高い清浄度が求められる。そこで、スポット運転時に、より清浄度が高い空気を放出することができる空気浄化装置を提供することを目的とする。
【課題を解決するための手段】
【０００７】
そして、この目的を達成するために、本発明に係る空気浄化装置は、次亜塩素酸水を保持する貯留槽部と、次亜塩素酸を生成するために電気分解を行う電解槽部と、次亜塩素酸を電気分解で生成するための電解手段と、次亜塩素酸を揮発させるための気液接触フィルタと、送風機と、運転制御を行う制御手段と、給水手段を備え、次亜塩素酸で殺菌する空気浄化装置において、気液接触フィルタを通過した後の風路から前記気液接触フィルタの上流側に連通する帰還風路を備え、前記送風機を前記気液接触フィルタの上流側と前記帰還風路の間に設置し、前記気液接触フィルタを通過した空気の一部を前記帰還風路から前記気液接触フィルタの上流側に引き込むことができる構成としたものであり、これにより所期の目的を達成するものである。
【発明の効果】
【０００８】
本発明によれば、気液接触フィルタを通過した後の風路から前記気液接触フィルタの上流側に連通する帰還風路を設け、送風機を前記気液接触フィルタと帰還風路の間に設置するという構成にしたことにより、空気浄化装置内で空気の一部を循環させることが可能となるため、空気浄化装置内の湿度は高くなる。また、循環風路を利用しないで風量を低くする場合と比べて、気液接触フィルタへ通気される空気が多くなるため、空気浄化装置内における除菌効果が向上することにより、吹き出し空気の清浄度が向上する。
【図面の簡単な説明】
【０００９】
【図１】本発明の実施の形態１の空間殺菌装置の概略図
【図２】同空気浄化装置の断面の概略図
【発明を実施するための形態】
【００１０】
本発明の請求項１に係る空気浄化装置は、次亜塩素酸水を保持する貯留槽部と、次亜塩素酸を生成するために電気分解を行う電解槽部と、次亜塩素酸を電気分解で生成するための電解手段と、次亜塩素酸を揮発させるための気液接触フィルタと、風路と送風機と、運転制御を行う制御手段と、給水手段を備え、次亜塩素酸で殺菌する空気浄化装置において、前記風路に、気液接触フィルタを通過した後の風路から前記気液接触フィルタの上流側に連通する帰還風路を備え、前記送風機は、前記気液接触フィルタの上流側と前記帰還風路の間に設置し、前記気液接触フィルタを通過した空気の一部を前記帰還風路から前記気液接触フィルタの上流側に引き込むことができるものである。
【００１１】
これにより、空気浄化装置内で空気の一部を循環させることが可能となるため、気液接触フィルタへ通気される空気が多くなるため、空気浄化装置内における除菌効果が向上することにより、吹き出し空気の清浄度が向上する。
【００１２】
また、請求項２に係る空気浄化装置は、前記帰還風路の開口度を調整できるものである。
【００１３】
これにより、室内空間を対象とした拡散運転と、人などを対象としたスポット運転と切替えるために、吹き出し風量を変更する際に、前記帰還風路の開口度を変更することで、循環する空気の量を変更し、吹出風量を変更することが可能となるため、循環風路を利用しないで風量を低くする場合と比べて、気液接触フィルタを通過する空気が多くなるため、除菌性能が向上し、スポット運転の際により高い清浄度の吹き出し空気を供給することができる。
【００１４】
以下、本発明の実施の形態について図面を参照しながら説明する。
【００１５】
（実施の形態１）
図１に本実施の形態の空気浄化装置１の外観を示す。
【００１６】
図１に示すように、略箱形状の本体ケース２を備え、その両側面には室内空気を吸い込む略四角形状の吸込口３と、天面には浄化された空気を吹き出す略四角形状の吹出口４を設けている。
【００１７】
図２に示すように、本体ケース２内部には、空気風路５と、送風部６と、気液接触フィルタ７と、給水タンク８と、給水検知手段９と、トレイ１０と、制御部１１とが設けられている。
【００１８】
気液接触フィルタ７は、その表面に複数の開口部を有する回転可能な中空円筒形状体であり、送風部６よりも気流の上流側において、気液接触フィルタ７の表面が空気風路５を遮るように設けられている。
【００１９】
給水タンク８とトレイ１０は、本体ケース２の下部に設けられており、これらは本体ケース２から取り外すことが可能である。
【００２０】
給水タンク８はキャップにより密閉できる構造となっているが、トレイ１０に給水タンク８を設置すると、キャップに設けられた水栓が解放され、水がトレイ１０に供給される構造となっている。水面が水栓まで上昇してくると、水面により給水タンク８が密閉され、水の供給が停止し、常に一定量の水を供給することができる。
【００２１】
トレイ１０内には、電極１４を有する電解槽部１５と、貯留槽部１６と、給水検知手段９が設けられている。
【００２２】
給水検知手段９は磁気を利用したフロートセンサーを使用している。給水検知手段９は、トレイ１０内が渇水となったことを検知するものである。
【００２３】
電解槽部１５と貯留槽部１６とは、仕切り板１７によって区切られている。仕切り板１７において、貯留槽部１６と電解槽部１５間での前記溶解液の移動を制限するために、仕切り板１７の一端側の下部とトレイ１０の底部との間で隙間を備えている。
【００２４】
電解槽部１５は、給水タンク８から給水された水にタブレット状の塩化ナトリウムを投入して作製した塩化ナトリウム水溶液を電極１４で電気分解して、溶解液としての次亜塩素酸水を生成するものである。
【００２５】
貯留槽部１６内部において、気液接触フィルタ７の下部を前記溶解液に浸漬させている。
【００２６】
気液接触フィルタ７に電気分解した次亜塩素酸水を供給するためには、気液接触フィルタの回転軸１９と仕切り板１７を並行にして設けることが好ましい。
【００２７】
また、気液接触フィルタ７の回転方向は、水面上では、風上から風下へ向けて回転するようにしている。
【００２８】
空気風路５は、本体ケース２の内部において、気液接触フィルタ７と送風部６を通る風路であって、吸込口３から吹出口４とを連通させている。さらに、気液接触フィルタ７の下流側から気液接触フィルタ７の上流側へと空気の一部を帰還させる帰還風路１８を備えている。
【００２９】
送風部６は、本体ケース２内に設けられ、帰還風路１８の下流側から、気液接触フィルタ７の上流側に備えられている。送風部６は、一例として、モータとモータにより回転する羽根車と該モータと羽根車を囲むケースとから構成されるいわゆるシロッコファンを備えることが望ましい。
【００３０】
上記構成において、空気浄化装置１の動作前に給水タンク８を取り付け、トレイ１０内に塩化ナトリウム溶液を供給する。なお、給水タンク８の内容物を水道水とし、塩化ナトリウムのタブレットを使用者がトレイ１０内に投入する形式としてもよい。
【００３１】
空気浄化装置１を動作させると、まず、電極１４が動作し電解槽部１５内に存在する塩化ナトリウムが消費されて次亜塩素酸水が生成される。この次亜塩素酸水は仕切り板１７の隙間を通って貯留槽部１６に備えられた気液接触フィルタ７に供給される。
【００３２】
そして、送風部６が動作すると、室内空間の空気は、吸込口３から空気浄化装置１内に吸い込まれ、空気風路５を流れて気液接触フィルタ７に接触し、空気の一部が帰還風路１８により、気液接触フィルタの上流側へと帰還され、残りの空気は、吹出口４から空気浄化装置１外の室内空間に排出される。この空気は空気浄化装置１で気液接触フィルタ７と接触した際に除菌脱臭される。そのため、帰還風路１８により空気の一部を空気風路５内で循環させることで、気液接触フィルタ７との接触回数が増えるため、空気浄化装置１から排出される空気をより清浄度の高い空気とすることができる。
【００３３】
（実施の形態２）
実施の形態１の構成において、室内空間全体を対象とした拡散運転の場合は、より多くの風量が、人を対象としたスポット運転の場合は、風量よりも、より高い清浄度の空気が求められるため、空気浄化装置１は、吹出口４より吹出す風量を目的に応じて調節できることが望ましい。
【００３４】
そこで、本実施の形態では、図２に示す制御部１１は、使用者の操作によって、室内空間を対象とした拡散運転と人を対象としたスポット運転とを切り替えを行うものであり、制御部１１は、風路切り替え装置１２によって帰還風路へ帰還する風量を調節するものである。
風路切り替え装置１２は帰還風路１８を開閉するものであり、風路切り替え装置１２によって帰還風路が開閉することで帰還風路１８を通過する風量を調整することができる。拡散運転時は風路切り替え装置１２により帰還風路１８は閉状態となり、吸込口３から空気浄化装置１内に吸い込まれた空気は、吹出口４から空気浄化装置１外の室内空間に排出される。スポット運転時には風路切り替え装置１２により帰還風路１８は開状態となり、吸込口３から空気浄化装置１内に吸い込まれた空気は、一部は帰還風路１８をフィルタの下流側から上流側へと帰還され、残りの空気は空気浄化装置１外の室内空間に排出される。
【００３５】
この動作を行うことにより、拡散運転の場合はより多い風量で運転し、スポット運転の時は室内空間より取り込んだ空気を帰還風路へ循環させることで風量を減らしつつ、空気と気液接触フィルタ７の接触回数を増やすことで、高い清浄度の空気を吹出すことができる。
【００３６】
このようにして、空気浄化装置１は目的に応じて吹き出し風量を減少させる際に、高い清浄度の空気を排出することができる。
【産業上の利用可能性】
【００３７】
家庭用や事務用、公共空間などの、除菌・脱臭などの空気浄化装置としての活用が期待されるものである。
【符号の説明】
【００３８】
１    空気浄化装置
２    本体ケース
３    吸込口
４    吹出口
５    空気風路
６    送風部
７    気液接触フィルタ
８    給水タンク
９    給水検知手段
１０    トレイ
１１    制御部
１２    風路切り替え装置
１４    電極
１５    電解槽部
１６    貯留槽部
１７    仕切り板
１８    帰還風路
【図１】
2020000772.tif 000003
【図２】
2020000772.tif 000004